(57)【特許請求の範囲】
【請求項１】
刈取り穀稈の穂先側が脱穀搬送装置によって扱室の受網と扱胴との間を移送されて脱穀処理するように構成した脱穀機であって、
前記受網を、扱胴周方向に沿う縦桟部材の複数と、扱胴軸芯方向に沿う横桟部材の複数とが組み合って成る格子受網で構成し、
前記複数の横桟部材として、大外径の第１横桟部材と、小外径の第２横桟部材とを扱胴周方向に混在した状態で備え、
扱胴軸芯から前記第1横桟部材の軸芯までの距離と、扱胴軸芯から前記第２横桟部材の軸芯までの距離を同一に設定してある脱穀機。
【請求項２】
前記第１横桟部材及び前記第２横桟部材それぞれの中間部が前記縦桟部材の桟孔を通るとともに、第１横桟部材と第２横桟部材のうちの第１横桟部材のみの中間部が縦桟部材に接着している請求項１記載の脱穀機。
【発明の詳細な説明】
【０００１】
【発明の属する技術分野】
本発明は、刈取り穀稈の穂先側が脱穀搬送装置によって扱室の受網と扱胴との間を移送されて脱穀処理するように構成した脱穀機に関する。
【０００２】
【従来の技術】
上記脱穀機として、従来、扱室の受網がクリンプ網で成るものがあった。また、たとえば特開昭６３‐２４８３１８号公報に示されるように、受網が合成樹脂網で成るものがあった。
【０００３】
【発明が解決しようとする課題】
受網の目合いが小さいよりも大きい方が、脱穀粒が受網から漏下しやすくなり、脱穀負荷が低減するなどによって脱穀処理が能率よくできる。ところが、従来のクリンプ網の場合も、合成樹脂網の場合も、脱穀負荷に耐えられる必要な強度を備えさせると目合いが比較的小さいものになることから、脱穀処理能率をあまりアップできなった。また、穀稈が雨や露でぬれているなど、穀稈の水分が高い場合、受網に目詰まりが発生しやすくなっていた。
本発明の目的は、コンパクトかつ軽量でありながら能率よく脱穀処理できるとともに高水分時でも受網詰まりが発生しにくい脱穀機を提供することにある。
【０００４】
【課題を解決するための手段】
請求項１による発明の構成、作用、効果はつぎのとおりである。
【０００５】
〔構成〕
刈取り穀稈の穂先側が脱穀搬送装置によって扱室の受網と扱胴との間を移送されて脱穀処理するように構成した脱穀機において、
前記受網を、扱胴周方向に沿う縦桟部材の複数と、扱胴軸芯方向に沿う横桟部材の複数とが組み合って成る格子受網で構成し、
前記複数の横桟部材として、大外径の第１横桟部材と、小外径の第２横桟部材とを扱胴周方向に混在した状態で備え、
扱胴軸芯から前記第1横桟部材の軸芯までの距離と、扱胴軸芯から前記第２横桟部材の軸芯までの距離を同一に設定してある。
【０００６】
〔作用〕
受網を格子受網とし、脱穀処理物が迅速に漏下しやすいように比較的大きな目合いを受網に備えさせながら、その目合いの大きさの割りには優れた受網強度を発揮させるものである。
横桟部材として外径の大きいものと小さいものとの複数種の横桟部材を備えさせると、受網全体としては、外径の大きい横桟部材のみを備えるものに比して軽量でありながら所望の総受網面積及び総漏下目合い面積を有するものに構成しやすい。また、外径の小さい横桟部材のみを備えさせるものに比し、優れた受網強度を有しながら所望の総受網面積及び総漏下目合い面積を有するものに構成しやすい。
これにより、扱室に比較的多くの穀稈を供給しても、穀稈水分が比較的高くても、穀稈供給量の割りには面積の小さい、さらに、軽量かつ強固な受網で脱穀処理物を詰まりが発生しにくい状態で迅速に漏下させながら脱穀処理できる。
【０００７】
〔効果〕
刈取り穀稈の穂先側を脱穀搬送装置によって扱室に供給して損傷穀粒を少なく抑制しながら脱穀処理できるものを、穀稈を水分が高くても扱室に迅速に供給したり多量に供給したりして能率よく脱穀処理できる状態に得られる。
しかも、脱穀部を小型及び軽量化し、運転しやすいとか取扱いやすいコンバインを構成できるなど大きさの面でも重量の面でも有利なものにできる。
【００１２】
請求項２による発明の構成、作用、効果はつぎのとおりである。
【００１３】
〔構成〕
請求項１による発明の構成において、前記第１横桟部材及び前記第２横桟部材それぞれの中間部が前記縦桟部材の桟孔を通るとともに、第１横桟部材と第２横桟部材のうちの第１横桟部材のみの中間部が縦桟部材に接着している。
【００１４】
〔作用〕
外径が大きい方の第１横桟部材によって縦桟部材どうしを連結し、第１横桟部材と第２横桟部材のいずれもを縦桟部材に接着するに比して製作手間などが少なくて済むようにしながら、第１横桟部材の方のみを接着するに比して縦桟部材どうしを強固に連結できるようにしながら、縦桟部材どうしが連結される状態、及び、外径が大小異なる横桟部材を受網に備えさせるものである。
【００１５】
〔効果〕
縦桟部材のずれ動きが発生しにくく、能率よく脱穀処理できるものを受網目合いの大きさが変化するなどの事態が発生しにくくて精度よく脱穀処理できる状態に得られる。その割りには、第１横桟部材を連結部材に利用して、かつ、第１横桟部材のみを縦桟部材に接着するだけで安価かつ構造簡単に得られる。
【００１６】
【発明の実施の形態】
図１に示すように、脱穀フィードチェーンで成る脱穀搬送装置１によって刈取り穀稈の株元側を挟持して搬送させることによって、その刈取り穀稈の穂先側を扱室２に供給するとともに脱穀機前後向きの軸芯３ａまわりで回動する扱胴３と受網２０との間を移送させて脱穀処理し、脱穀排ワラを脱穀搬送装置１によって扱室２の後部の排稈口４から搬出するとともに排ワラ搬送チェーン５によって脱穀機後部の排出口から脱穀機外に排出するように脱穀部を構成してある。前記排稈口４から排出される切れワラなどの脱穀塵埃を揺動選別装置６が一体揺動自在に支持する移送体７によって機体後方側に移送させながら脱穀機横向きの軸芯まわりで回動する処理胴８によってほぐし処理し、脱穀塵埃から穀粒を取り出すように再処理部を構成してある。前記扱室２の下方に前端側が位置する前記揺動選別装置６、この揺動選別装置６の前端部の下方に位置する回転ファン１１ａを有する第１送風装置１１、この第１送風装置１１の機体後方側に位置する第２送風装置１２、揺動選別装置６の後端部の下方に位置する回転ファン１３ａを有する第３送風装置１３などを備え、扱室２から受網２０を漏下して落下供給される脱穀処理物、及び、再処理部から落下する処理物を揺動選別装置６によって受け止めて扱胴軸芯に沿う方向で機体後方側に搬送しながら選別処理するとともに各送風装置１１，１２，１３からの選別風を作用させて風選別処理し、選別塵埃を選別風と共に排塵口１４から脱穀機外に排出したり、排塵ファン１５によって吸引して脱穀機外に排出するように選別部を構成してある。揺動選別装置６からの１番処理物を脱穀機横外側に搬出する１番スクリューコンベア１６、揺動選別装置６からの２番処理物を脱穀機横外側に搬出する２番スクリューコンベア１７を前記選別部の底部に設けるとともに、２番スクリューコンベア１７からの処理物をスクリューコンベアで成る還元装置１８によって脱穀機横外側で扱室後付近に揚送して脱穀機内に放出することによって受網２０と脱穀機横側壁との間を通して揺動選別装置６の前端側に還元するように構成し、もって、コンバイン用の脱穀機を構成してある。
【００１７】
前記揺動選別装置６の選別枠６ａを、この選別枠６ａの前端側に連結するガイド装置１９ａと、選別枠６ａの後端側に連結する駆動装置１９ｂとによって脱穀機体の左右横側壁にわたって駆動揺動自在に支持させ、この選別枠内の上部に扱胴軸芯に沿う方向に並んで位置するグレンパン６ｂとチャフシーブ６ｃとストローラック６ｄ、並びに、チャフシーブ６ｃの下方に位置するグレンシーブ６ｅなどを前記選別枠体６ａに一体揺動自在に支持させて、前記揺動選別装置６を構成してある。すなわち、扱室２の前側から受網２０を漏下した脱穀処理物をグレンパン６ｂによって受け止めて機体後方側に移送しながら穀粒と塵埃とに粗選別処理し、グレンパン６ｂからの処理物をチャフシーブ６ｃによって受け継いで機体後方に移送しながら穀粒と塵埃とに精選別処理し、チャフシーブ６ｃを漏下した処理物をグレンシーブ６ｅによってさらに精選別処理し、グレンシーブ６ｅからの１番選別処理物を１番スクリューコンベア１６に、２番選別処理物を２番スクリューコンベア１７にそれぞれ落下供給する。チャフシーブ６ｃ及び前記再処理部からの処理物を穀粒と切れワラなどの塵埃とに選別し、穀粒を２番スクリューコンベア１７に落下供給し、塵埃を前記排塵口１４から機体外に放出する。
【００１８】
第１送風装置１１は、前記グレンパン６ｂの下方近くに位置する前記回転ファン１１ａと、この回転ファン１１ａの前側に吸気口１１ｂを、回転ファン１１ａの後側の前記第２送風装置１２の上側に排気口１１ｃをそれぞれ形成するファンケースとで成り、回転ファン１１ａによって選別部の前端側から吸気し、排気口１１ｃから選別風を第２送風装置１２の上方を通って選別枠６ａを下側から上側に吹き抜けるように供給してグレンパン６ｂとチャフシーブ６ｃの間の選別作用部、及び、チャフシーブ６ｃの前端側による選別作用部に供給し、この選別作用部の処理物に作用させるように構成してある。すなわち、揺動選別装置６のグレンパン６ｂからの粗選別処理物に選別風を作用させるようにしてある。
【００１９】
第２送風装置１２は、回転羽根１２ａを有する唐箕で成り、選別風を選別枠６ａを下側から上側に吹き抜けるように供給してチャフシーブ６ｃ及びグレンシーブ６ｅの下方の風選経路部、チャフシーブ６ｃの後端部による選別作用部、ストローラック６ｄによる選別作用部に供給し、これら風選経路部と選別作用部の処理物に作用させるように構成してある。すなわち、揺動選別装置６のチャフシーブ６ｃとグレンシーブ６ｅとによる精選別処理物、及び、ストローラック６ｄによる選別処理物に選別風を作用させるようにしてある。
【００２０】
第３送風装置１３は、１番スクリューコンベア１６と２番スクリューコンベア１７との間に位置する前記回転ファン１３ａと、この回転ファン１３ａの下側に吸気口１３ｂを、回転ファン１３ａの上側に排気口１３ｃをそれぞれ形成するファンケースとで成り、回転ファン１３ａによって脱穀機の下方から吸気し、排気口１３ｃから選別風を第２スクリューコンベア１７の上方を通して選別枠６ａを下側から上側に吹き抜けるように供給してストローラック１３による選別作用部に供給し、この選別作用部による選別処理物に作用させるように構成してある。
【００２１】
図２に示すように、前記受網２０は、この受網２０を扱胴軸芯３ａに沿う方向の１本の分割線Ｙで扱胴３の周方向に分割することによって得られる２つの分割格子受網２０ａ，２０ｂを次の如く組み合わせて作成してある。すなわち、図４及び図５に明示するように、両分割格子受網２０ａ，２０ｂのうちの脱穀穀稈の株元側に位置する方の分割格子受網２０ａの枠体２１が備える位置決めピン２１ａと、脱穀穀稈の穂先側に位置する方の分割格子受網２０ｂの枠体２２とを係合させることにより、前記両分割格子受網２０ａ，２０ｂを扱胴軸芯３ａに沿う方向に互いに位置ずれしないように係合し合う状態に組み合わせて受網２０を作成してある。
【００２２】
図４、図７、図９などに示すように、前記株元側の分割格子受網２０ａは、扱胴３の周方向に沿うように扱胴軸芯３ａに沿う方向視で円弧形状に形成し、かつ、板厚方向が扱胴軸芯に沿う方向で横幅が扱胴半径方向に沿う方向になるように形成した帯板金で成る第１縦桟部材２３ａの複数本と、扱胴３の周方向に沿うように扱胴軸芯３ａに沿う方向視で円弧形状に形成し、かつ、板厚方向が扱胴軸芯に沿う方向で横幅が扱胴半径方向に沿う方向になるように形成した帯板金で成るとともに前記第１縦桟部材２３ａよりも広い横幅を有する第２縦桟部材２３ｂの複数本と、扱胴軸芯３ａに沿う方向の直線状の丸棒鋼材で成る第１横桟部材２４の２本と、扱胴軸芯３ａに沿うとともに第１横桟部材２４よりも富んだ弾性を有するように、かつ、第１横桟部材２４の横断面積よりも小さい横断面積を有するように第１横桟部材２４の素材よりも外径が小さい直線状の鋼線材で成る第２横桟部材２５の複数本と、扱胴軸芯３ａに沿う方向の帯板金で成る２本の前記枠体２１，２２とを次の如き格子状態に組み合わせて作成してある。すなわち、複数本の第１縦桟部材２３ａと第２縦桟部材２３ｂとが扱胴軸芯３ａに沿う方向に所定の縦桟部材間隔を隔てて並列し、第２縦桟部材２３ｂどうしの間と、複数本の第２縦桟部材２３ｂのうちの最も分割格子受網前端側に位置する第２縦桟部材２３ｂよりも前側と、複数本の第２縦桟部材２３ｂのうちの最も分割格子受網後端側に位置する第２縦桟部材２３ｂよりも後側とのそれぞれに複数本の第１縦桟部材２３ａが存在し、複数本の第１横桟部材２４と第２横桟部材２５とが扱胴周方向に沿う方向に所定の横桟部材間隔を隔てて並列し、第１横桟部材２４どうしの間と、一方の第１横桟部材２４よりも株元側と、他方の第１横桟部材２４よりも穂先側とのそれぞれに複数本の第２横桟部材２５が存在する格子状態にしてある。さらに、第１横桟部材２４も第２横桟部材２５も第１縦桟部材２３ａ及び第２縦桟部材２３ｂの桟孔を挿通し、最も分割格子受網前端側に位置する第１縦桟部材２３ａと、最も分割格子受網後端側に位置する第１縦桟部材２３ａとが全ての横桟部材２４，２５の端部どうしを連結し、前記枠体２１，２２が全ての縦桟部材２３ａ，２３ｂの端部どうしを連結する格子状態にしてある。
【００２３】
図４、図８、図１０などに示すように、前記穂先側の分割格子受網２０ｂは、扱胴３の周方向に沿うように扱胴軸芯３ａに沿う方向視で円弧形状に形成し、かつ、板厚方向が扱胴軸芯に沿う方向で横幅が扱胴半径方向に沿う方向になるように形成した帯板金で成るとともに株元側分割格子受網２０ａの前記第１縦桟部材２３ａと同一の横幅を備えるように形成した第１縦桟部材２３ａの複数本と、株元側分割格子受網２０ａの前記第１横桟部材２４と同一の素材で成る第１横桟部材２４の２本と、株元側分割格子受網２０ａの前記第２横桟部材２５と同一の素材で成り、第１横桟部材２４の外径よりも小さい外径を有する第２横桟部材２５の複数本と、扱胴軸芯３ａに沿う方向の帯板金で成る２本の前記枠体２１，２２とを次の如き格子状態に組み合わせて作成してある。すなわち、複数本の第１縦桟部材２３ａが扱胴軸芯３ａに沿う方向に株元側分割格子受網２０ｂの縦桟部材間隔と同一の縦桟部材間隔を隔てて並列し、複数本の第１横桟部材２４と第２横桟部材２５とが扱胴周方向に沿う方向に株元側分割格子受網２０ｂの横桟部材間隔と同一の横桟部材間隔を隔てて並列し、第１横桟部材２４どうしの間と、一方の第１横桟部材２４よりも株元側と、他方の第１横桟部材２４よりも穂先側とのそれぞれに複数本の第２横桟部材２５が存在する格子状態にしてある。さらに、第１横桟部材２４も第２横桟部材２５も第１縦桟部材２３ａの桟孔を挿通し、最も分割格子受網前端側に位置する第１縦桟部材２３ａと、最も分割格子受網後端側に位置する第１縦桟部材２３ａとが全ての横桟部材２４，２５の端部どうしを連結し、前記枠体２１，２２が全ての縦桟部材２３ａの端部どうしを連結する格子状態にしてある。
【００２４】
図１１に明示するように、株元側の分割格子受網２０ａにおいても、穂先側の分割格子受網２０ｂにおいても、前記横桟部材２４，２５のうちの外径が大きい方の第１横桟部材２４のみの中間部及び両端部を縦桟部材２３ａ，２３ｂに溶接２６によって接着してある。すなわち、縦桟部材２３ａ，２３ｂの中間部どうしを第１横桟部材２４によって連結してある。
【００２６】
株元側の分割格子受網２０ａと穂先側の分割格子受網２０ｂとが前記位置決めピン２１ａによって連結し合うと、穂先側の分割格子受網２０ｂの全ての縦桟部材２３ａと、株元側の分割格子受網２０ａの全ての縦桟部材２３ａ，２３ｂとの１本ずつが対になり合って扱胴周方向に沿う一列の縦桟部材列に並ぶように、両分割格子網２０ａ，２０ｂの縦桟部材配列を設定してある。
【００２７】
つまり、株元側分割格子受網２０ａの１本の縦桟部材２３ａ，２３ｂと、この縦桟部材２３ａ，２３ｂに対して扱胴周方向に一直線状に並ぶ穂先側分割格子受網２０ｂの１本の縦桟部材２３ａとにより、受網２０全体としての１本の縦桟部材２３を形成し、株元側分割格子受網２０ａの第１横桟部材２４及び第２横桟部材２５と、穂先側分割格子受網２０ｂの第１横桟部材２４及び第２横桟部材２５とのそれぞれにより、受網２０全体としての１本の横桟部材２４，２５を形成してある。これにより、受網２０は、複数本の縦桟部材２３と、複数本の横桟部材２４，２５とが扱胴３の周方向及び軸芯方向に並ぶ穀粒漏下用の目合を形成するように、かつ、全ての目合いの大きさが同一又はほぼ同一になるように格子状態に組み合った格子受網になっている。さらに、脱穀負荷などによって縦桟部材２３どうしの間隔が変化することを第１横桟部材２４の連結作用によって防止されるようになった格子受網になっており、軸芯３ａまわりで回動する扱胴３との共働によって刈取り穀稈を脱穀し、脱穀処理物を前記目合いから漏下させて揺動選別装置６に供給する。
【００２８】
前記受網２０は、図３及び図４に示す取付け構造に基づいて脱穀部に取り付けるように構成してある。
すなわち、扱室２の前側壁３０の内面側に前受網ガイド３１を、扱室２の後側壁３２の内面側に後受網ガイド３３をそれぞれ支持させ、前記前受網ガイド３１及び後受網ガイド３３それぞれの受網支持部３１ａ，３３ａよりも低レベルに位置するとともに扱胴軸芯３ａに沿う方向の丸鋼材で成る支持杆３４を、前受網ガイド３１の受網支持部３１ａに連結する前支持部材３５ａと、後受網ガイド３３の受網支持部３３ａに連結する後支持部材３５ｂとにわたって取り付け、前記前受網ガイド３１と後受網ガイド３３と支持杆３４と下舌板３６とにわたって受網２０を載置するようにしてある。
つまり、受網２０の複数本の縦桟部材２３のうちの最も受網前端側に位置する縦桟部材２３を、前記前受網ガイド３１の受網支持部３１ａに載せて受け止め支持させる。受網２０の複数本の縦桟部材２３のうちの最も受網後端側に位置する縦桟部材２３を、前記後受網ガイド３３の受網支持部３３ａに載せて受け止め支持させる。前記位置決めピン２１ａによって係合し合う株元側分割格子受網２０ａの前記枠体２１と、穂先側分割格子受網２０ｂの前記枠体２２とを、前記支持杆３４に載せて受け止め支持させる。株元側分割格子受網２０ａの第２縦桟部材２３ｂの株元側端部の下端側に備えさせてある載置突起２３ｃを、下舌板３６の内面側に載せて受け止め支持させる。
【００２９】
この受網２０は、図１２の如く構成してある。
【００３０】
すなわち、扱胴軸芯３ａから複数本の第１横桟部材２４それぞれの軸芯までの距離Ｄ４と、扱胴軸芯３ａから複数本の第２横桟部材２５それぞれの軸芯までの距離Ｄ３とが同一になるように各桟部材２３，２４，２５を組み合わせてある。
【図面の簡単な説明】
【図１】脱穀機全体の縦断側面図
【図２】脱穀部の横断正面図
【図３】脱穀機の一部の縦断側面図
【図４】分割格子受網の断面図
【図５】分割格子受網の分離状態の説明図
【図６】受網取付け構造の断面図
【図７】株元側分割格子受網の断面図
【図８】穂先側分割格子受網の断面図
【図９】株元側分割格子受網の平面図
【図１０】穂先側分割格子受網の平面図
【図１１】株元側分割格子受網及び穂先側分割格子受網の一部の平面図
【図１２】格子受網の一部の断面図
【符号の説明】
１      脱穀搬送装置
２      扱室
３      扱胴
３ａ    扱胴軸芯
２０    受網
２３    縦桟部材
２４    第１横桟部材
２５    第２横桟部材
Ｄ４    扱胴軸芯から第１横桟部材の軸芯までの距離
Ｄ３    扱胴軸芯から第２横桟部材の軸芯までの距離
【図１】
0003540932.tif 000002
【図２】
0003540932.tif 000003
【図３】
0003540932.tif 000004
【図４】
0003540932.tif 000005
【図５】
0003540932.tif 000006
【図６】
0003540932.tif 000007
【図７】
0003540932.tif 000008
【図８】
0003540932.tif 000009
【図９】
0003540932.tif 000010
【図１０】
0003540932.tif 000011
【図１１】
0003540932.tif 000012
【図１２】
0003540932.tif 000013